(57)【特許請求の範囲】
【請求項１】
防災設備の被監視対象物の異常を検出するための異常検出パルスを発生する異常検出パルス発生手段と、
該異常検出パルス発生手段からの異常検出パルスを直接および上記被監視対象物を通して受信し、双方の異常検出パルスを比較して該被監視対象物の異常を判別する異常判別手段と
を備えた防災設備の異常検出装置において、
上記異常検出パルス発生手段は、監視用の第１の制御手段と、該第１の制御手段の出力に基づいて異常検出パルスを生成する異常検出パルス送信部と、上記第１の制御手段の制御の下に上記異常検出パルス送信部の出力を切り換える第１の切換手段とを有し、
上記異常判別手段は、起動用の第２の制御手段と、上記異常検出パルス発生手段からの異常検出パルスの着信を判定する異常検出パルス着信判定手段と、上記異常検出パルスが入力される上記被監視対象物の出力側を上記第２の制御手段の制御の下に切り換える第２の切換手段と、上記異常検出パルス着信判定手段の一部出力に基づいて作動し、上記異常検出パルス発生手段から直接入力される異常検出パルスと上記第２の切換手段により選択的に取り出される上記被監視対象物の出力とを比較して該被監視対象物の異常を判別する異常監視手段とを有することを特徴とする防災設備の異常検出装置。
【請求項２】
上記異常検出パルス着信判定手段は、上記異常検出パルス発生手段からの異常検出パルスに基づいて所定電圧を発生する定電圧回路と、該定電圧回路の出力に基づいて作動する光結合手段を含む異常検出パルス着信判定部とからなり、上記異常監視手段は、上記定電圧回路の所定電圧を電源電圧として作動し、上記異常検出パルス発生手段から直接入力される異常検出パルスと上記第２の切換手段により選択的に取り出される上記被監視対象物の出力とを比較する複数の比較器と、該複数の比較器の出力に基づいて作動する光結合手段とを有する請求項１記載の防災設備の異常検出装置。
【請求項３】
上記第２の制御手段は、上記異常監視手段の動作が安定した後の所定時間中に該異常監視手段による判別結果を認識する請求項１または２記載の防災設備の異常検出装置。
【発明の詳細な説明】
【０００１】
【発明の属する技術分野】
この発明は、防災設備の異常検出装置に関し、特に、例えば、地区音響装置の断線や短絡等の異常を検出する場合に用いて好適な防災設備の異常検出装置に関する。
【０００２】
【従来の技術】
防災設備の異常検出装置として、例えば火災警報地区に配線されたベル線の断線や短絡等を検出するものとして、従来例えば実公昭６３−３９８２０号公報に示されるようなものがある。この装置は、火災警報地区ベル線に接続されたベルと端末抵抗にそれぞれ逆極性のダイオードが接続されていて、常時は端末抵抗に監視電流を流して断線を監視すると共に、ベル線が短絡したときに生じる端子電圧の上昇を検出してかかるベル線の短絡を検出するものである。
また、近時、複数のＭＰＵを用いて火災に関連する情報の処理を分散させる防災設備の異常検出装置においては、メイン（主局）側の処理を行うＭＰＵが、サブ（従局）側の処理を行うＭＰＵに対し、状態変化を常にポーリング処理により監視している場合、顧客ベータベースの内容を全て、メインのＭＰＵが読み込み、サブのＭＰＵに対して、必要な情報を選択・整列して送出している。
【０００３】
【発明が解決しようとする課題】
ところが、上述の実公昭６３−３９８２０号公報に示されている従来装置の場合、防災設備の監視時常に火災警報地区ベル線に接続されたベル側に監視電流を流しておく必要があるので、それだけ消費電力が大きくなり、特に停電時に所定時間バッテリで監視を行う防災設備では、この監視電流をその間供給できる容量のバッテリを設備しなけれぱならない等の問題点があった。
また、上述の複数のＭＰＵを用いて火災に関連する情報の処理を分散させる防災設備の異常検出装置の場合には、複数のＭＰＵ間で同期パルスを発生して同期をとる必要があり、しかもその同期パルスを伝送する専用のラインを設ける必要があり、処理が繁雑で、構成も複雑になる等の問題点があった。
【０００４】
この発明は、上述のような問題点を解決するためになされたもので、監視電流をできるだけ抑えて消費電力の低減化を図ることができると共に、複数のマイクロプロセッサを用いて防災等に関連する情報の処理を分散させる場合の処理時間を短縮できる構成が簡単な防災設備の異常検出装置を提供することを目的とする。
【０００５】
【課題を解決するための手段】
この発明に係る防災設備の異常検出装置は、防災設備の被監視対象物の異常を検出するための異常検出パルスを発生する異常検出パルス発生手段と、該異常検出パルス発生手段からの異常検出パルスを直接および上記被監視対象物を通して受信し、双方の異常検出パルスを比較して該被監視対象物の異常を判別する異常判別手段とを備えた防災設備の異常検出装置において、上記異常検出パルス発生手段が、監視用の第１の制御手段と、該第１の制御手段の出力に基づいて異常検出パルスを生成する異常検出パルス送信部と、上記第１の制御手段の制御の下に上記異常検出パルス送信部の出力を切り換える第１の切換手段とを有し、上記異常判別手段が、起動用の第２の制御手段と、上記異常検出パルス発生手段からの異常検出パルスの着信を判定する異常検出パルス着信判定手段と、上記異常検出パルスが入力される上記被監視対象物の出力側を上記第２の制御手段の制御の下に切り換える第２の切換手段と、上記異常検出パルス着信判定手段の一部出力に基づいて作動し、上記異常検出パルス発生手段から直接入力される異常検出パルスと上記第２の切換手段により選択的に取り出される上記被監視対象物の出力とを比較して該被監視対象物の異常を判別する異常監視手段とを有するものである。
【０００８】
また、この発明に係る防災設備の異常検出装置は、異常検出パルス着信判定手段が、異常検出パルス発生手段からの異常検出パルスに基づいて所定電圧を発生する定電圧回路と、この定電圧回路の出力に基づいて作動する光結合手段を含む異常検出パルス着信判定部とからなり、異常監視手段が、定電圧回路の所定電圧を電源電圧として作動し、異常検出パルス発生手段から直接入力される異常検出パルスと第２の切換手段により選択的に取り出される被監視対象物の出力とを比較する複数の比較器と、これらの複数の比較器の出力に基づいて作動する光結合手段とを有するものである。
【０００９】
また、この発明に係る防災設備の異常検出装置は、第２の制御手段が、異常監視手段の動作が安定した後の所定時間中に該異常監視手段による判別結果を認識するものである。
【００１０】
【発明の実施の形態】
以下、この発明による防災設備の異常検出装置の一実施の形態を、例えば地区音響装置に適用した場合を例にとり、図を参照しながら説明する。
図１は、この発明の一実施の形態の全体を示す構成図である。
図において、１は地区音響線の断線監視を制御したり、回路電圧等を監視する第１の制御手段としての監視用のマイクロプロセッサ（以下、ＭＰＵという）、２はＭＰＵ１によって付勢される第１の切換手段としてのリレー回路、３はＭＰＵ１の制御の下に外部に接続された地区音響装置等の異常を検出するための異常検出パルスを発生する異常検出パルス送信部、４はリレー回路２によって切り換えられる接点であって、この接点４は通常の監視状態では図に示すように異常検出パルス送信部３の出力側に接続された固定端子ａ側に接続され、ベル鳴動時には接地されている固定端子ｂ側に切り換えられるようになされている。なお、構成要素１〜４は異常検出パルス発生手段を構成する。
【００１１】
５は後述の地区音響装置等を起動し、地区音響線の状態情報を収集し、その結果の表示を制御するための第２の制御手段としてのＭＰＵ、６はＭＰＵ５の制御の下にこの状態情報等を表示する表示機、７1〜７nは地区音響線毎に設けられ、ＭＰＵ５によって付勢される第２の切換手段としての複数のリレー回路、８1〜８nは地区音響線毎に設けられ、一方が外部端子Ｔを介して接点４の可動端子に接続され、他方がリレー回路７1〜７nの後述する接点１１1〜１１nに接続された被監視対象物としての複数の地区音響装置である。
９は外部端子Ｔに接続され、異常検出パルス送信部３に送信された異常検出パルスによって定電圧出力を発生する定電圧回路、１０は定電圧回路９の出力に基づいて異常検出パルスが着信したかどうかを判別してその結果をＭＰＵ５ヘ出力する異常検出パルス着信判定部である。この定電圧回路９と異常検出パルス着信判定部１０は異常検出パルス着信判定手段を構成する。
【００１２】
１１1〜１１nは地区音響装置８1〜８nに接続された地区音響線毎にそれぞれ設けられ、リレー回路７1〜７nによってそれぞれ切り換えられる接点であって、これらの接点１１1〜１１nは通常の監視状態では図に示すように後述の異常監視部の入力側に接続された固定端子ａ側にそれぞれ接続され、ベル鳴動時には所定電圧の電源端子に接続された固定端子ｂ側に切り換えられるようになされている。
１２1〜１２nは地区音響装置８1〜８nに接続された地区音響線毎にそれぞれ設けられ、地区音響装置８1〜８nの地区音響線の断線や短絡等の異常を検出する異常監視手段としての異常監視部である。これらの異常監視部１２1〜１２nは、定電圧回路９の出力を電源として作動し、異常検出パルス送信部３からの異常検出パルスを外部端子Ｔを介して直接取り込むと共に、更にそれぞれ地区音響装置８1〜８nを介して同時にまたは所定量遅延された異常検出パルスを取り込み、双方の異常検出パルスを比較することによって地区音響線の断線や短絡等の異常を検出するようになされている。なお、構成要素５、７、９〜１２は異常判定手段を構成する。
【００１３】
図２および図３は図１の具体的回路の一例を示す回路図である。
図２において、ＭＰＵ１によって付勢されるリレー回路２は、リレー２１、ダイオード２２およびドライバ２３からなり、リレー２１の一方側は所定電圧例えば２４Ｖの電源端子＋Ｂに接続され、他方側はドライバ２３を介してＭＰＵの制御端子Ｒに接続され、リレー２１の両端にダイオード２２が電源端子＋Ｂに対して逆極性となるように並列接続される。
【００１４】
異常検出パルス送信部３は、複数のトランジスタ３１、３２および３３を含み、トランジスタ３１のベースは抵抗器３４を介してＭＰＵ１の制御端子Ｂに接続されると共に抵抗器３５を介して接地され、そのエミッタは接地され、そのコレクタは抵抗器３６を介してトランジスタ３２のベースに接続されると共にトランジスタ３３のコレクタに接続される。
トランジスタ３２のコレクタは接点４の固定端子ａに接続され、そのエミッタは抵抗器３７を介してトランジスタ３３のコレクタに接続されると共に直接トランジスタ３３のベースに接続され、さらに、抵抗器３８を介してこの場合直流電圧例えば２４Ｖを電源電圧とし、グランドをグランドＧＮＤ１とする電源のプラス側である電源端子＋Ｂに接続される。そして、トランジスタ３３のエミッタは直接電源端子＋Ｂに接続される。
なお、トランジスタ３３および抵抗器３８を用いずに、直接トランジスタ３２のエミッタを電源端子十Ｂに接続してもよい。また、異常検出パルス送信部に接続される電源は全波整流された電源を用いてもよい。
【００１５】
図３において、ＭＰＵ５によって付勢されるリレー回路７1〜７nは、それぞれ同様の構成をなし、代表的にリレー回路７1に付いて説明すると、リレー回路７1はリレー７１、ダイオード７２およびドライバ７３からなり、リレー７１の一方側は電源端子＋Ｂに接続される電源とは絶縁された直流または全波整流された電圧例えば２４Ｖを電源電圧とし、グランドをグランドＧＮＤ２とする電源のプラス側である電源端子＋Ｂ′に接続され、他方側はドライバ７３を介してＭＰＵの制御端子Ｋ1に接続され、リレー７１の両端にダイオード７２が電源端子＋Ｂ′に対して逆極性となるように並列接続される。
そして、最終段のリレー回路７ｎは、ＭＰＵ５の制御端子Ｋnからの起動信号によって付勢される。
【００１６】
地区音響装置８1〜８nは、それぞれ同様の構成をなし、代表的に地区音響装置８1に付いて説明すると、地区音響装置８1は地区音響線である地区ベル線に接続された地区ベル８１と、これと並列に設けられた終端抵抗８２と、これらに相互に逆極性に接続されたダイオード８３および８４からなり、地区ベル８１の一端はダイオード８３を介して外部端子Ｔに接続され、その他端は接点１１1の可動端子に接続される。また、端末抵抗８２の一端は逆向きのダイオード８４を介してダイオード８３のカソード側に接続され、その他端は地区ベル８１の他端側に接続される。
そして、最終段の地区音響装置８ｎの地区ベル８１の他端が、接点１１ｎの可動端子に接続される。
【００１７】
異常検出パルス着信判定部１０は、フォトカプラ１３と、抵抗器１４および１５からなり、光結合手段としてのフォトカプラ１３の発光ダイオード１３ａのアノード側は抵抗器１４を介して定電圧回路９の出力側に接続され、そのカソード側は接地される。また、フォトカプラ１３のフォトトランジスタ１３ｂのコレクタ側は抵抗器１５を介して所定電圧例えば５Ｖの電源端子＋Ｖccに接続されると共に直接ＭＰＵ５の入力端子Ｄに接続され、そのエミッタはグランドＧＮＤ１とは絶縁されたグランドＧＮＤ２に接地される。
【００１８】
異常監視部１２1〜１２nは、それぞれ同様の構成をなし、代表的に異常監視部１２1に付いて説明すると、異常監視部１２1はオープンコレクタ型の短絡検出用比較器１２１および断線検出用比較器１２２とその出力側に設けられた光結合手段としてのフォトカプラ１２３とを有する。比較器１２１の非反転入力端子はコンデンサ１２４を介して接地されると共に抵抗器１２５を介して外部端子ＴとグランドＧＮＤ１間に設けられた抵抗器１２６、１３０および１３１による直列回路の抵抗器１２６と１３０との接続点に接続され、その反転入力端子はコンデンサ１２７を介して接地されると共に抵抗器１３２を介して接点１１1の固定端子ａに接続される。
【００１９】
また、比較器１２２の非反転入力端子はコンデンサ１２７を介して接地されると共に抵抗器１３２を介して接点１１1の固定端子ａに接続され、抵抗器１３２の固定端子ａ側とグランドＧＮＤ１間に抵抗器１３３が接続される。また、比較器１２２の反転入力端子はコンデンサ１２８を介して接地されると共に、抵抗器１２９を介して外部端子ＴとグランドＧＮＤ１間に設けられた抵抗器１２６、１３０および１３１による直列回路の抵抗器１３０および１３１の接続点に接続される。
【００２０】
比較器１２１および１２２には定電圧回路９の出力電圧が電源電圧として供給されるようになされている。
フォトカプラ１２３の発光ダイオード１２３ａのアノード側は抵抗器１３４を介して定電圧回路９の出力側に接続され、そのカソード側は比較器１２１および１２２の出力側に接続される。また、フォトカプラ１２３のフォトトランジスタ１２３ｂのコレクタ側は抵抗器１３５を介して電源端子＋Ｖccに接続されると共に直接ＭＰＵ５の入力端子ＫＸ1に接続され、そのエミッタはグランドＧＮＤ１とは絶縁されたグランドＧＮＤ２に接地される。
そして、最終段の異常監視部１２nの抵抗器１３２および１３３（図示せず）の接続点に接点１１nの固定端子ａが接続され、異常監視部１２nの出力側がＭＰＵ５の入力端子ＫＸnに接続される。
【００２１】
次に、動作について、図４を参照して説明する。
先ず、通常の監視動作に付いて説明する。
ＭＰＵ１は、制御端子Ｂの出力をローレベル状態にすると共に、制御端子Ｒよりローレベルの出力を発生してリレー回路２を消勢（非動作）状態とし、接点４を固定端子ａ側に接続する。ＭＰＵ１の制御端子Ｂの出力がローレベル状態のときは、トランジスタ３１がオフ状態にあるので、トランジスタ３２および３３もオフ状態にある。
いま、ＭＰＵ１の制御端子Ｂより図４（ａ）に示すようなハイレベルの持続時間（パルス幅）が所定時間例えば１秒（１Ｓ）とするパルスを所定周期例えば１０秒（１０Ｓ）毎に発生すると、このパルスのハイレベルの持続時間中異常検出パルス送信部３のトランジスタ３１がオンし、これに伴ってトランジスタ３２および３３がオンする。
【００２２】
すると、電源端子＋Ｂ側から抵抗器３８およびトランジスタ３２を通して接点４の固定端子ａ側にほぼ電源端子＋Ｂに印加されている電源電圧が出力され、実質的に図４（ａ）のパルスに対応した異常検出パルスが外部端子Ｔに印加され、この異常検出パルスは地区音響装置８1〜８n、定電圧回路９および異常監視部１２1〜１２nに供給される。
電源端子＋Ｂに印加されている電源電圧の異常検出パルスが定電圧回路９に供給されると、定電圧回路９はその出力側に所定電圧を発生し、この所定電圧が異常検出パルス着信判定部１０内のフォトカプラ１３の発光ダイオード１３ａに印加され、この発光ダイオード１３ａが発光してフォトトランジスタ１３ｂに受光され、その出力、つまり、電圧Ｖccの出力が異常検出パルスの着信信号としてＭＰＵ５の入力端子Ｄに供給される。
【００２３】
また、定電圧回路９からの所定電圧が電源電圧として異常監視部１２1〜１２nに供給されて異常監視部１２1〜１２nが動作状態に入るが、いずれもその動作は同じであるので、ここでは代表的に異常監視部１２1とこれに接続された地区音響装置８1の場合について説明する。
外部端子Ｔからの異常検出パルスは、異常監視部１２1の抵抗器１２６、１３０および１３１からなる直列回路を抵抗器１３０および１３１による直列回路で分割されて抵抗器１２５を介して短絡検出用比較器１２１の非反転入力端子に入力されると共に、抵抗器１２６、１３０および１３１からなる直列回路を抵抗器１３１で分割されて抵抗器１２９を介して断線検出用比較器１２２の反転入力端子に入力される。
また、外部端子Ｔからの異常検出パルスは、一旦地区音響装置８1のダイオード８４および端末抵抗８２を通り、更に通常の監視状態では固定端子ａ側に接続されている接点１１1を通り、そして異常監視部１２1の抵抗器１３２の経路を通って比較器１２１の反転入力端子および比較器１２２の非反転入力端子に入力される。
【００２４】
この場合、外部端子Ｔから実質的に直接異常監視部１２1の比較器１２１の非反転入力端子および比較器１２２の反転入力端子に入力される異常検出パルスのタイミングは、図４（ａ）に示すパルスと同じであるが、外部端子Ｔから地区音響装置８1を介して異常監視部１２1の比較器１２１の反転入力端子および比較器１２２の非反転入力端子に入力される異常検出パルスのタイミングは、図４（ａ）に示すパルスと同じか、あるいは図４（ｂ）に示すように地区音響装置８1の地区音響線の長さに応じて図４（ａ）のパルスより所定時間Ｔ１だけ遅延されて入力される。
【００２５】
そして、地区音響線（ベル線）が断線しているときは、接点１１1側から異常監視部１２1に対する入力（異常検出パルス）がないので、断線検出用比較器１２２の出力はローレベル、短絡検出用の比較器１２１の出力は高インピーダンスとなる。従って、定電圧回路９の所定電圧を電源電圧としてフォトカプラ１２３の発光ダイオード１２３ａを通して比較器１２２側に電流が流れて発光ダイオード１２３ａが発光し、これがフォトトランジスタ１２３ｂで受光され、その出力（ローレベル、つまり、０Ｖ）がＭＰＵ５の入力端子ＫＸ1に入力される。
【００２６】
また、地区音響線（ベル線）が短絡しているときは、地区音響装置８1側を通る異常検出パルスが実質的にこの地区音響装置８1等を介することなくそのまま接点１１1から異常監視部１２1に入力されるので、断線検出用の比較器１２２の出力は高インピーダンス、短絡検出用の比較器１２１の出力はローレベルとなる。従って、定電圧回路９の所定電圧を電源電圧としてフォトカプラ１２３の発光ダイオード１２３を通して比較器１２１側に電流が流れて発光ダイオード１２３ａが発光し、これがフォトトランジスタ１２３ｂで受光され、その出力（ローレベル、つまり、０Ｖ）がＭＰＵ５の入力端子ＫＸ1に入力される。
かくして、ＭＰＵ５は異常監視部１２1からローレベルの信号を受けることによって、地区音響装置８1の地区音響線が断線または短絡している等その異常を認識することができる。
【００２７】
また、地区音響線に断線や短絡等の異常がない場合は、比較器１２１および１２２は共に高インピーダンスとなり、従って、発光ダイオード１２３ａが発光しないので、フォトトランジスタ１２３ｂの出力はハイレベル（＋Ｖcc）となり、ＭＰＵ５の入力端子ＫＸ1に入力される。
また、この場合、ＭＰＵ５は異常監視部１２1からハイレベルの信号を受けることによって、地区音響装置８1の地区音響線が正常であることを認識することができる。
【００２８】
このようにして、ＭＰＵ５では、入力端子ＫＸ1に入力される信号のレベルに応じて地区音響線が断線や短絡等の異常かあるいは正常かを認識することができるが，定電圧回路９は異常検出パルスによって定電圧出力を得るため、定電圧回路９からの所定電圧が電源電圧として異常監視部１２1に供給されてから特にその比較器１２１および１２２の動作が安定するまで時間を要するので、この比較器１２１および１２２の動作が安定した後実際に地区音響線が断線や短絡等の異常かあるいは正常かを認識する必要がある。
そこで、ＭＰＵ５では上述の異常検出パルス着信判定部１０から着信信号を受けると内部のカンウタ（図示せず）をカウント開始し、それより図４（ｃ）に示すように所定時間Ｔ２例えば７００ミリ秒後の所定時間Ｔ３例えば１０ミリ秒（１０ｍｓ）間に上述の地区音響線が断線や短絡等の異常かあるいは正常かを認識するようにする。
【００２９】
そして、ＭＰＵ５はその結果を必要に応じて表示機６に表示するようにする。なお、比較器１２１および１２２に接続するフォトカプラをそれぞれ別に設け、それぞれのフォトカプラの出力をＭＰＵ５に入力して、地区音響線の断線と短絡とを個別に検出してもよい。
【００３０】
次に、ベル鳴動時の動作について説明する。
ＭＰＵ１は、図示しない火災感知器等の端末機器からの火災信号を入力すると制御端子Ｒよりハイレベルの出力を発生してリレー回路２を付勢（動作）状態とし、接点４を固定端子ｂ側に切り換える。
また、ＭＰＵ５は、図示しないＭＰＵ１からの制御線による制御によって制御端子Ｋ1〜Ｋnの内ベルを鳴動させる地区音響線用の制御端子例えばＫ1よりハイレベルの出力を発生してリレー回路７1のリレー７１を付勢（動作）状態とし、接点１１1を固定端子ｂ側に切り換える。
すると、電源端子＋Ｂから接点１１1の固定端子ｂ→地区ベル８１→ダイオード８３→外部端子Ｔ→接点４の固定端子ｂ→グランドＧＮＤ１の経路で電流が流れて地区ベル８１が鳴動する。
【００３１】
なお、接点４及ぴ接点１１1の制御は、火災感知器等の端末機器からの火災信号を入力する第３の制御手段としてのＭＰＵ４０（図示せず）を別途設け、このＭＰＵ４０からＭＰＵ１およびＭＰＵ５に対して接点４および接点１１１の切換制御の指示を出すようにしてもよい。
また、このＭＰＵ４０に表示機６を接続し、ＭＰＵ５から地区音響線の状態情報をＭＰＵ４０へ送信して、ＭＰＵ４０で火災感知器等の端末機器の火災表示の制御と共に、地区音響線の状態惰報の表示の制御を行うようにしてもよい。
【００３２】
このように、本実施の形態では、地区音響装置の断線や短絡等の異常を異常検出パルスを間欠的に発生して見るので、監視状態において監視電流を常時流して見る場合に比し、監視電流が少なくてすみ、それだけ消費電力を軽減できる。
また、監視に際してＭＰＵを複数個この場合２個用いているが、検出用の電源ラインとクロックライン（パルスライン）が実質的に兼用された態様になっているので、２個のＭＰＵ間に同期をとるために専用のラインが不要となり、構成が簡略化されると共に、マイクロプロセッサに設けられる端子の数も少なくすることができる。
【００３３】
なお、異常検出パルス着信判定部１０に光結合手段を用いたが、光結合手段の代わりに定電圧回路９とＭＰＵ５とを絶縁する機能と、比較器１２１の出力電圧である定電圧回路９の定電圧出力をＭＰＵ５の電源電圧にレベル変換する機能の少なくとも一方を有する回路を使用してもよい。
また、本実施例では、光結合手段の入力側と出力側とを別のグランドに絶縁したが、同一のグランドにしてもよい、
また、上記実施の形態では、この発明による防災設備の異常検出装置を、例えば地区音響装置に適用した場合を例にとり説明したが、これに限定されることなく、その他の被監視対象物例えば防排煙装置等にも同様に適用でき、同様の効果を奏する。
【００３４】
【発明の効果】
以上のように、この発明によれば、防災設備の被監視対象物の異常を検出するための異常検出パルスを発生する異常検出パルス発生手段と、この異常検出パルス発生手段からの異常検出パルスを直接および被監視対象物を通して受信し、双方の異常検出パルスを比較してこの被監視対象物の異常を判別する異常判別手段とを備えたので、監視電流をできるだけ抑えて消費電力の低減化を図ることができると共に構成の簡略化を図れることができるという効果がある。
【００３５】
また、この発明によれば、異常検出パルス発生手段が、監視用の第１の制御手段と、この第１の制御手段の出力に基づいて異常検出パルスを生成する異常検出パルス送信部と、第１の制御手段の制御の下に異常検出パルス送信部の出力を切り換える第１の切換手段とを有し、異常判別手段が、起動用の第２の制御手段と、異常検出パルス発生手段からの異常検出パルスの着信を判定する異常検出パルス着信判定手段と、異常検出パルスが入力される被監視対象物の出力側を第２の制御手段の制御の下に切り換える第２の切換手段と、異常検出パルス着信判定手段の一部出力に基づいて作動し、異常検出パルス発生手段から直接入力される異常検出パルスと第２の切換手段により選択的に取り出される被監視対象物の出力とを比較してこの被監視対象物の異常を判別する異常監視手段とを有するので、監視電流をできるだけ抑えて消費電力の低減化を図ることができると共に、複数の制御手段に同期用の専用のラインが不要となり、それだけ構成を簡略化できるという効果がある。
【００３６】
また、この発明によれば、異常検出パルス着信判定手段が、異常検出パルス発生手段からの異常検出パルスに基づいて所定電圧を発生する定電圧回路と、この定電圧回路の出力に基づいて作動する光結合手段を含む異常検出パルス着信判定部とからなり、異常監視手段が、定電圧回路の所定電圧を電源電圧として作動し、異常検出パルス発生手段から直接入力される異常検出パルスと第２の切換手段により選択的に取り出される被監視対象物の出力とを比較する複数の比較器と、これらの複数の比較器の出力に基づいて作動する光結合手段とを有するので、安定且つ確実に被監視対象物である例えば地区音響装置の断線や短絡等の異常を検出でき、光結合手段によって異常監視部と第２の制御手段とが絶縁されると共に変換異常監視部と第２の制御手段との電源電圧差を考慮する必要がないという効果がある。
【００３７】
また、この発明によれば、第２の制御手段が、異常監視手段の動作が安定した後の所定時間中にこの異常監視手段による判別結果を認識するので、被監視対象物である例えば地区音響装置の断線や短絡等の異常を少ない消費電力でもって確実に検出できるという効果がある。
【図面の簡単な説明】
【図１】この発明に係る防災設備の異常検出装置の一実施の形態の全体構成を示す構成図である。
【図２】この発明に係る防災設備の異常検出装置の一実施の形態の要部の具体例を示す回路図である。
【図３】この発明に係る防災設備の異常検出装置の一実施の形態の他の要部の具体例を示す回路図である。
【図４】この発明に係る防災設備の異常検出装置の一実施の形態の動作説明に供するための信号波形図である。
【符号の説明】
１，５  ＭＰＵ、２，７1〜７n  リレー回路、３  異常検出パルス送信部、８1〜８n  地区音響装置、９  定電圧回路、１０  異常検出パルス着信判定部、１２1〜１２n  異常監視部。
【図１】
0003853041.tif 000002
【図２】
0003853041.tif 000003
【図３】
0003853041.tif 000004
【図４】
0003853041.tif 000005